(57)【要約】      （修正有）【課題】カメラのカード蓋の防滴性を向上させるとともに、スペース効率よくカード蓋の開閉検出スイッチを配置することで、カード蓋の大きさを小さくすることを可能にした電子機器のスライド式のカード蓋の開閉検出構造を提供すること。【解決手段】カード蓋１０付近に弾性部材と弾性部材を配置し、カード蓋１０が閉じたとき、弾性部材と弾性部材とが押圧され広がることで、カード蓋１０の防滴を確保し、一方、カード蓋１０の開閉を検出する開閉検出スイッチ３０を押すための突起２８がカード蓋１０に形成され、前記カード蓋１０が中間状態のとき、記憶媒体と前記開閉検出スイッチ３０の間に前記突起２８が位置する構成とした。【選択図】図３（ａ）
2015145905.tif 000002
【特許請求の範囲】
【請求項１】
カメラ（１）のグリップ部（５）に回転軸（１５）側の厚みが大きくなるように設けられ、前記カメラ（１）に着脱可能な記憶媒体（１２）を収納する収納部（１３）を保護し、スライドすることにより開閉するカード蓋（１０）において、
前記収納部（１３）の周囲において、前記カード蓋（１０）がスライドする方向と直交し、回転軸（１５）側の壁面（２０）に取り付けられる弾性部材１（２４）と、
前記収納部（１３）の周囲において、前記カード蓋（１０）がスライドする方向と直交し、回転軸（１５）を反対側の壁面（２１）に取り付けられる部分と、前記カード蓋（１０）がスライドして閉じる方向に沿って徐々に高くなった斜面（２２）、（２３）に取り付けられる部分が一体化した弾性部材２（２５）と、
前記弾性部材１（２４）の端部と前記弾性部材２（２５）の端部は近接して取り付けられており、前記記憶媒体（１２）と前記弾性部材１（２４）に囲まれた範囲に、前記記憶媒体（１２）の長手方向において、前記記憶媒体（１２）と重なる位置に設けられた前記カード蓋（１０）の開閉検出スイッチ（３０）とを有し、
前記カード蓋（１０）に設けられ、前記カード蓋（１０）がスライドすることで前記開閉検出スイッチ（３０）のＯＮ／ＯＦＦを行う突起（２８）は、前記カード蓋（１０）が中間状態のとき、記憶媒体（１２）と開閉検出スイッチ（３０）の間に位置することを特徴とする電子機器。
【請求項２】
前記突起（２８）が前記カード蓋（１０）のスライド方向以外の方向から前記開閉検出スイッチ（３０）に当接しようとするとき、前記カード蓋（１０）の一部と前記カメラ（１）の一部が先に当接することを特徴とする請求項１に記載の電子機器。
【請求項３】
前記カード蓋（１０）の一部は、カード蓋ロック爪部（３２）であり、前記カメラ（１）の一部は、カード蓋ロック孔部（３３）であることを特徴とする請求項２に記載の電子機器。
【請求項４】
前記検出スイッチ（３０）と前記カード蓋ロック爪部（３２）と前記カード蓋ロック孔部（３３）は、記憶媒体（１２）の長手方向において、同じ位置に設けていることを特徴とする請求項１乃至請求項３の何れか１項に記載の電子機器。
【請求項５】
前記弾性部材２（２５）は、前記壁面（２１）に取り付けられる部分に対し、前記斜面（２２）、（２３）に取り付けられる部分が曲げられて取り付けられており、前記壁面（２１）に取り付けられる部分の曲げ部よりも外側にも取り付け部を設けていることを特徴とする請求項１乃至請求項４の何れか１項に記載の電子機器。
【発明の詳細な説明】
【技術分野】
【０００１】
本発明は、デジタルカメラなどの電子機器の蓋の開閉検出構造に関し、特にスライド開閉蓋の開閉検出構造に関するものである。
【背景技術】
【０００２】
デジタルカメラに代表されるような携帯機器は屋外で使用されることが多く、防滴構造のニーズが高まっている。
【０００３】
従来、記憶媒体（メモリカード）を着脱可能なカメラには、メモリカードを収納する収納部（カードスロット）を保護するカード蓋と、メモリカードがアクセス中に取外しされないようにカード蓋の開閉状態を検出する開閉検出スイッチを設けているものがある。ここで、開閉検出スイッチは、カード蓋の防滴性の向上のためにシール部材より内側に設けていた。
【０００４】
従来、カメラの蓋の開閉機構としては、回転式も存在するが、開閉の容易さ等の理由からスライド式を採用しているものも多い。ここで、スライドと回動により開閉するカード蓋には、カメラ本体に設けられた開閉検出スイッチのＯＮ／ＯＦＦを行う突起部（リブ）が設けられているものがある。
【０００５】
特許文献１では、複数のカードスロットの間に形成されたスリットを有し、カード蓋の開閉状態を検出する開閉検出スイッチを備え、カード蓋は収納部を閉じたときにスリットに挿入される補強用のリブを有するものが開示されている。
【０００６】
また、特許文献２では、スライド式のカード蓋において、シール部材をスライド方向に沿って徐々に高くなった斜面に取り付け、カード蓋がスライド方向に移動したとき、シール部材が擦れて劣化し、防滴性能が低下することを防ぐものが開示されている。
【先行技術文献】
【特許文献】
【０００７】
【特許文献１】特開２０１２−１２９６２０号公報
【特許文献２】特開２００９−２６５３８１号公報
【発明の概要】
【発明が解決しようとする課題】
【０００８】
しかしながら、上述の特許文献１に開示された従来技術では、カード蓋がスライドして閉じる際に、リブがメモリカードに当たらないように、メモリカードと開閉検出スイッチは、カード蓋のスライド方向において、重ならないところに配置されている。したがって、こうしたカード蓋の開閉検出構造では、カード蓋の大きさが大きくなっていた。また、カード蓋のシール部材の配置に関する記載はない。
【０００９】
また、上述の特許文献２に開示された従来技術では、スライド式のカード蓋の防滴構造は開示されているが、カード蓋の開閉検出スイッチの配置に関する記載はない。
【００１０】
そこで、本発明の目的は、カメラのカード蓋の防滴性を向上させるとともに、スペース効率よくカード蓋の開閉検出スイッチを配置することで、カード蓋の大きさを小さくすることを可能にした電子機器のスライド式のカード蓋の開閉検出構造を提供することである。
【課題を解決するための手段】
【００１１】
上記目的を達成するために、本発明は、カメラのグリップ部に回転軸側の厚みが大きくなるように設けられ、前記カメラに着脱可能な記憶媒体を収納する収納部を保護し、スライドすることにより開閉するカード蓋において、前記収納部の周囲において、前記カード蓋がスライドする方向と直交し、回転軸側の壁面に取り付けられる弾性部材１と、前記収納部の周囲において、前記カード蓋がスライドする方向と直交し、回転軸を反対側の壁面に取り付けられる部分と、前記カード蓋がスライドして閉じる方向に沿って徐々に高くなった斜面に取り付けられる部分が一体化した弾性部材２と、前記弾性部材１の端部と前記弾性部材２の端部は近接して取り付けられており、前記記憶媒体と前記弾性部材１に囲まれた範囲に、前記記憶媒体の長手方向において、前記記憶媒体と重なる位置に設けられた前記カード蓋の開閉検出スイッチとを有し、前記カード蓋に設けられ、前記カード蓋がスライドすることで前記開閉検出スイッチのＯＮ／ＯＦＦを行う突起は、前記カード蓋が中間状態のとき、記憶媒体と開閉検出スイッチの間に位置することを特徴とする。
【発明の効果】
【００１２】
本発明によれば、カード蓋の大きさを小さくすることを可能にした電子機器のスライド式のカード蓋の開閉検出構造を提供することができる。
【図面の簡単な説明】
【００１３】
【図１】（ａ）は本実施例のデジタルカメラを前方（被写体側）から見た斜視図、（ｂ）は本実施例のデジタルカメラを後方（撮影者側）から見た斜視図
【図２（ａ）】図１（ｂ）における本実施例のデジタルカメラのカード蓋を開いた状態で、メモリカードなしの斜視図
【図２（ｂ）】図１（ｂ）における本実施例のデジタルカメラのカード蓋を開いた状態で、メモリカードありの斜視図
【図３（ａ）】図２（ｂ）を側面から見た図
【図３（ｂ）】図３（ａ）におけるＡ−Ａ断面図で、カード蓋１０が中間状態の図
【図３（ｃ）】図３（ａ）におけるＡ−Ａ断面図で、カード蓋１０が閉状態の図
【図３（ｄ）】図２（ａ）を背面から見た図
【図３（ｅ）】図３（ａ）におけるＢ−Ｂ断面図で、カード蓋１０が中間状態の図
【図３（ｆ）】図３（ａ）におけるＢ−Ｂ断面図で、カード蓋１０が閉状態の図
【図３（ｇ）】図３（ａ）におけるＣ−Ｃ断面図で、カード蓋１０が開状態の図
【図３（ｈ）】図３（ａ）におけるＣ−Ｃ断面図で、カード蓋１０が中間状態の図
【図３（ｉ）】図３（ａ）におけるＣ−Ｃ断面図で、カード蓋１０が閉状態の図
【図３（ｊ）】図３（ａ）におけるＣ−Ｃ断面図で、カード蓋１０の突起がカード蓋のスライド方向以外の方向から開閉検出スイッチに近づいたときの図
【発明を実施するための形態】
【００１４】
以下に、本発明の好ましい実施の形態を、添付の図面に基づいて詳細に説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１５】
［実施例］
まず、図１から図２を用いて、本発明の一実施形態であるデジタルカメラを説明する。なお、以下に示す各図には、説明と理解を容易にするために、ＸＹＺ直交座標系を設けた。この座標系では、撮影者が光軸を水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１６】
図１（ａ）は本実施例のデジタルカメラを前方（被写体側）から見た斜視図である。図１（ｂ）は本実施例のデジタルカメラを後方（撮影者側）から見た斜視図である。
【００１７】
図１（ａ）、図１（ｂ）において、１はデジタルカメラであり、２はデジタルカメラ１に不図示のレンズ鏡筒を交換可能に取り付ける際のレンズマウント部である。３はレンズ鏡筒を通して結像された被写体像を観察し、撮影時の構図を決めるためのビューファインダーである。４は撮影画像などを確認可能な表示装置であり、例えば３．０インチ程度のＴＦＴ液晶パネルなどから構成されている。ここで、表示装置４は、撮影時にビューファインダーとしても利用可能となっている。
【００１８】
５はグリップ部であり、撮影時などにデジタルカメラ１を撮影者が保持する際に把持する場所である。グリップ部５には、後述する記憶媒体（メモリカード）１２を収納する収納部（カードスロット）１３を開閉するためのカード蓋１０が配置されている。６はレリーズ釦であり、撮影時に釦を押下げることで撮影を行うものである。デジタルカメラ１はレリーズ釦６の押下を検出して、図示していないが撮像素子の駆動、画像処理回路の動作、記録処理回路の圧縮処理などを制御し、メモリカード１２等に撮影画像の記録を行う。図１から分かるように、デジタルカメラ、特に一眼レフカメラでは、携帯性よりもホールド性を重視しており、グリップ部５が大きく張り出し、ホールド性の優れた立体形状とすることが重要である。
【００１９】
図２（ａ）、図２（ｂ）は、図１のカード蓋１０を開いた状態である。図２（ａ）はメモリカード１２が収納されていない状態、図２（ｂ）はメモリカード１２が収納されている状態を示す。
【００２０】
図２（ａ）、図２（ｂ）において、カード蓋１０を開いたカメラ１の側面には凹部１１が形成されている。カード蓋１０の外面は、図１に示したグリップ部５の外形に相応する形状を有しており、カード蓋１０は、凹部１１を覆うことによりカメラ１のグリップ部５の一部を構成するようになっている。凹部１１には、メモリカード１２を収納するカードスロット１３がカメラ１の内部に向かって開口している。１４はメモリカード１２の取外しをするためのイジェクト釦である。撮影者は、カード蓋１０が開いている状態で、カードスロット１３に対するメモリカード１２の着脱操作を行うことができる。
【００２１】
次に、図３を用いて、本実施形態のカード蓋１０の開閉検出構造について説明する。
【００２２】
まず、図３（ａ）〜図３（ｃ）を用いて、本実施形態のカード蓋１０の開閉動作について説明する。図３（ａ）は、図２（ｂ）を側面から見た図である。図３（ｂ）、図３（ｃ）は、図３（ａ）におけるＡ−Ａ断面図である。後述するように、図３（ｂ）はカード蓋１０が中間状態であり、図３（ｃ）はカード蓋１０が閉状態である。
【００２３】
図３（ａ）〜図３（ｃ）において、凹部１１のＺプラス側端部には、回転軸１５がＹ方向に沿って設けられている。また、カード蓋１０の内面側の端部には、取付部１６が一体的に形成されている。取付部１６には、長穴状のガイド穴１６ａが形成されており、ガイド穴１６ａに回転軸１５が貫通している。したがって、カード蓋１０は、カード蓋１０が開いた開状態から、回転軸１５を中心に回転した中間状態（図３（ｂ））に移動することができる。さらに、カード蓋１０は、その中間状態から、回転軸１５をガイド穴１６ａに沿うようにしてＺプラス方向にスライド可能で、カード蓋１０がカメラ１のグリップ部５と一体となった閉状態（図３（ｃ））まで移動することができる。
【００２４】
また、回転軸１５には開きばね１７が取り付けられている。開きばね１７はねじりコイルばねからなり、コイル部が回転軸１５に巻き付けられ、一端部がカメラ１に係止され、他端部がカード蓋１０の内面に係止されている。この構造により、開きばね１７はカード蓋１０が開方向に回転するように付勢すると共にこの開状態を維持するように付勢している。
【００２５】
また、カード蓋１０の内面にはクリックばね１８が取り付けられている。クリックばね１８は板ばねからなり、一方側がねじによってカード蓋１０の内面に固定されている。クリックばね１８の他方側は回転軸１５まで延びており、その先端部分に段部１８ａと１８ｂが形成されている。段部１８ａはカード蓋１０の開状態から中間状態において回転軸１５に係合している。カード蓋１０が中間状態から閉状態にスライドするときに、段部１８ａは回転軸１５から離脱し、閉状態になったとき段部１８ｂが回転軸１５に係合する。この係合離脱によってカード蓋１０のスライド時のクリック感を出すようになっている。
【００２６】
また、カード蓋１０の内面には、クリックばね１８を覆うように、クリックばねカバー１９が取り付けられており、後述するように、カード蓋１０が閉状態において弾性部材２４の一部に当接するようになっており、カード蓋１０の防滴構造の一部として機能する。
【００２７】
また、カード蓋１０には、突起２８が形成されており、後述するようにカメラ１のスリット３１に配置されたカード蓋１０の開閉を検出するための開閉検出スイッチ３０を押すための押し部として機能する。
【００２８】
次に、図３（ｂ）〜図３（ｆ）を用いて、本実施形態のカード蓋１０の防滴構造について説明する。図３（ｄ）は、図２（ａ）を背面から見た図である。図３（ｅ）、図３（ｆ）は、図３（ａ）におけるＢ−Ｂ断面図である。図３（ｅ）はカード蓋１０が中間状態であり、図３（ｆ）はカード蓋１０が閉状態である。
【００２９】
図３（ｂ）、図３（ｃ）において、凹部１１のＺ方向の両側の内側面には、前側壁面２０、後側壁面２１が形成されている。また、図３（ｄ）〜図３（ｆ）において、凹部１１のＹ方向の両側の内側面には、スライド方向に沿って徐々にＸマイナス方向に高くなるように傾斜した斜面２２、２３が形成されている。ここで、斜面２２、２３は互いに平行となっている。図から分かるように、カメラ１のグリップ部５は、撮影者が保持する際に把持する際に、ホールド性の優れた立体形状となっている。そこに、回転軸１５側がＸマイナス方向に厚くなるようにカード蓋１０を配置している。したがって、スペース効率よく斜面２２、２３が形成すること可能となっている。
【００３０】
前側壁面２０、後側壁面２１、斜面２２、２３には、シール部材として弾性部材２４、２５がそれぞれ貼着、溶着などによって取り付けられている。これらの弾性部材としては、発泡ウレタン等の発泡樹脂や弾性ゴム等を用いることができる。
【００３１】
ここで、図３（ｄ）に示したように、後側壁面２１、斜面２２、２３に取り付けられている弾性部材２５はコの字形状をしており、弾性部材２５ａ、２５ｂ、２５ｃは一体化している。また、後述するように弾性部材２５の曲げ部の外側にも取り付け部２５ｄ、２５ｅを設けてある。
【００３２】
また、弾性部材２４の端部と弾性部材２５の端部は近接配置するように取り付けてあり、カードスロット１３の周りを囲うように配置されている。
【００３３】
図３（ｂ）〜図３（ｆ）において、カード蓋１０を閉じる場合、前述したようにまずカード蓋１０が起立した状態からカード蓋１０を倒して中間状態にする。そしてカード蓋１０をＺプラス方向にスライドさせ閉状態にする。このとき、弾性体２５ｂ、２５ｃとカード蓋１０の斜面２６、２７とが接触した後、前側壁面２０、後側壁面２１に取り付けられた弾性部材２４、２５ａは、カード蓋１０に押圧される。また、弾性部材２４の端部と残性部材２５の端部の近接配置しているところは、カード蓋１０が閉じたとき、弾性部材が押圧され広がることで、弾性部材同士が密着する。ここで、弾性体２５ｃとカード蓋１０の斜面２７とが接触するところは、図３（ｅ）、図３（ｆ）と同等なので省略する。これにより、カード蓋１０の防滴を確保できる。
【００３４】
ここで、カメラ１にカード蓋１０のスライド方向に沿った斜面をそれぞれ平行となるように形成し、カメラ１の斜面２２、２３に弾性体２５を取り付けているため、弾性体２５はカード蓋１０の斜面２６、２７と擦れることなく近づくことができ、カード蓋１０のスライドを滑らかにすることができる。したがって、弾性体２５がカード蓋１０のスライドによって擦れて劣化することがないため、防滴性能を維持することができる。
【００３５】
また、弾性部材２５はコの字形状をしており、弾性部材２５ａ、２５ｂ、２５ｃは一体化し、カメラ１の後側壁面２１、斜面２２、２３に取り付けすることで、弾性体２５がカード蓋１０のスライドによって力が加わった際に剥がれにくくなる。さらに、弾性部材２５の曲げ部２５ａの外側にも取り付け部を設けているので、弾性部材２５の曲げ部２５ａの外側にも取り付け部を設けることで、弾性部材２５を曲げて取り付けた際に、弾性部材２５の回復力に対して、十分な取り付け強度を確保することができる。
【００３６】
次に、図３（ｇ）〜図３（ｊ）を用いて、本実施形態のカード蓋１０の開閉検出構造について説明する。図３（ｇ）〜（ｊ）は、図２（ｂ）におけるＣ−Ｃ断面図である。
【００３７】
図３（ｇ）〜図３（ｊ）において、カード蓋１０には、突起２８が形成されており、カメラ１の内部にカード蓋１０の開閉を検出するために基板２９に配置された開閉検出スイッチ３０を押すための押し部として機能する。カードスロット１３と弾性部材２４の間の位置にスリット３１が設けられており、開閉検出スイッチ３０がスリット３１から突出している。開閉検出スイッチ３０は、カード蓋１０がＺプラス方向にスライドすることにより、突起２８によりＺプラス方向に押し込まれＯＮとなる。図から分かるように、斜面２２、２３に弾性部材２５ｂ、２５ｃを取り付け、弾性部材２４、２５の端面を近接させるよう配置されているため、Ｘマイナス方向にスペースが生まれ、カード蓋１０の開閉検出スイッチ３０を配置することが可能となっている。したがって、開閉検出スイッチ３０は、メモリカード１２の長手方向において、メモリカード１２の位置と重なる位置に設けられるため、カード蓋１０の大きさを小さくすることができる。
【００３８】
カード蓋１０を閉じる場合、前述したようにまずカード蓋１０が起立した状態からカード蓋１０を倒して中間状態にする。そしてカード蓋１０をＺプラス方向にスライドさせ閉状態にする。このとき、突起２８は中間状態のとき、メモリカード１２と検出スイッチ３０の間に位置するように設けているため、メモリカード１２がカードスロット１３の奥まで刺さっていない場合でも、突起２８がメモリカード１２に当接することは無い。
【００３９】
こうして開閉検出スイッチ３０が押された状態（すなわちＯＮ状態）のとき、カメラ１の内部に組み込まれた制御部（不図示）は、カード蓋１０が閉じられていると認識し、カードスロット１３に挿入されたメモリカード１２に対してアクセス可能となる。
【００４０】
また、カード蓋１０が開状態では、突起２８は開閉スイッチ３０へ届いておらず、開閉検出スイッチ３０はＯＦＦの状態となっている。このとき、制御部（不図示）は、カード蓋１０が開いていると認識し、カードスロット１３に挿入されたメモリカード１２に対してアクセス不可となる。
【００４１】
ここで、カード蓋１０のＺマイナス側端部の内面には、閉じ凸部３２が形成されている。また、閉じ凸部３２と対向するようにカメラ１の凹部１１のＺマイナス側には、閉じ凹部３３が形成されている。これらの閉じ凸部３２及び閉じ凹部３３が係合して、カード蓋１０の閉状態となる。このとき、閉じ凹部３２及び閉じ凸部３３が係合して閉状態が維持される。
【００４２】
また、図３（ｊ）に示すように、突起２８がカード蓋１０のスライド方向以外の方向から開閉検出スイッチ３０に近づいたとき、突起２８が開閉検出スイッチ３０に当接する前に、カード蓋１０の閉じ凸部３２とカメラ１の閉じ凹部３３が当接する構成にしているため、突起２８が開閉検出スイッチ３０を破壊することは無い。ここで、開閉検出スイッチ３０と閉じ凸部３２及び閉じ凹部３３をＹ方向のほぼ同じ高さに設けているため、閉じ凸部３２及び閉じ凹部３３が当接してカード蓋１０が傾いた場合でも、開閉検出スイッチ３０を守ることができる。
【００４３】
以上のように、カメラ１のグリップ部５のホールド性の優れた立体形状に、スペース効率よく回転軸１５側がＸマイナス方向に厚くなるようにカード蓋１０を配置する。カード蓋１０がスライドして閉じる際に、凹部１１のＹ方向の両側の内側面に取り付けた弾性部材２５の摩耗を軽減するように、カメラ１に弾性部材２５をスライド方向に沿って徐々に高くなった斜面２６、２７に取り付ける。そして、弾性部材２５の端部と弾性部材２４の端部と近接させるように取り付けする。ここで、弾性部材２４、２５に囲まれた範囲でＸマイナス方向にスペースが生まれ、回転軸１５側の空間にカード蓋１０の開閉検出スイッチ３０を配置することが可能となる。
【００４４】
したがって、メモリカード１２とカード蓋１０の開閉検出スイッチ３０は、弾性部材２４、２５に囲まれた中に設けているため、防滴性を向上できる。さらに、開閉検出スイッチ３０は、メモリカード１２の長手方向において、メモリカード１２の位置と重なる位置に設けられるため、カード蓋１０の大きさを小さくすることができる。
【００４５】
以上、本発明の好ましい実施形態について説明したが、本発明はこれらの実施形態に限定されず、その要旨の範囲内で種々の変形及び変更が可能である。
【符号の説明】
【００４６】
１  デジタルカメラ
２  レンズマウント部
３  ビューファインダー
４  表示装置
５  グリップ部
６  レリーズ釦
１０  カード蓋
１１  凹部
１２  記憶媒体（メモリカード）
１３  収納部（カードスロット）
１４  イジェクト釦
１５  回転軸
１６  取付部
１６ａ  ガイド穴
１７  開きばね
１８  クリックばね
１８ａ  段部
１８ｂ  段部
１９  クリックばねカバー
２０  前側壁面
２１  後側壁面
２２  斜面
２３  斜面
２４  弾性部材
２５  弾性部材
２５ａ  弾性部材
２５ｂ  弾性部材
２５ｃ  弾性部材
２６  斜面
２７  斜面
２８  突起
２９  基板
３０  開閉検出スイッチ
３１  スリット
３２  閉じ凸部
３３  閉じ凹部
【図２（ａ）】
2015145905.tif 000003
【図２（ｂ）】
2015145905.tif 000004
【図３（ａ）】
2015145905.tif 000005
【図３（ｂ）】
2015145905.tif 000006
【図３（ｃ）】
2015145905.tif 000007
【図３（ｄ）】
2015145905.tif 000008
【図３（ｅ）】
2015145905.tif 000009
【図３（ｆ）】
2015145905.tif 000010
【図３（ｇ）】
2015145905.tif 000011
【図３（ｈ）】
2015145905.tif 000012
【図３（ｉ）】
2015145905.tif 000013
【図３（ｊ）】
2015145905.tif 000014
【図１】
2015145905.tif 000015